(57)【要約】      （修正有）【課題】ユーザが弾性片を押圧するための部位が特別に設けられたモジュラープラグを提供する。【解決手段】ケーブルと接続されたモジュラープラグ本体４と、モジュラープラグ本体４から延びている弾性片６とを備えるモジュラープラグ２であって、弾性片６は嵌合部８を備え、嵌合部８は、ユーザが押圧するための被押圧部１０と、被押圧部１０とモジュラープラグ本体４とを連結するための連結部１２とを備え、被押圧部１０の幅が連結部１２の幅よりも大きい。【選択図】図１
0003214775.tif 000002
【実用新案登録請求の範囲】
【請求項１】
ケーブルと接続されたモジュラープラグ本体と、前記モジュラープラグ本体から延びている弾性片とを備えるモジュラープラグであって、
前記弾性片は、ユーザが押圧するための被押圧部と、前記被押圧部と前記モジュラープラグ本体とを連結するための連結部とを備え、
前記被押圧部の幅が前記連結部の幅よりも大きい
ことを特徴とするモジュラープラグ。
【請求項２】
前記被押圧部にはマークが設けられていることを特徴とする請求項１に記載のモジュラープラグ。
【請求項３】
前記マークは、商標を含むことを特徴とする請求項２に記載のモジュラープラグ。
【請求項４】
前記弾性片には、電子機器の差込口と嵌合するための嵌合部が設けられていることを特徴とする請求項１に記載のモジュラープラグ。
【考案の詳細な説明】
【技術分野】
【０００１】
本考案は、モジュラープラグに関し、特に、モジュラープラグの弾性片が押圧できるモジュラープラグに関する。
【背景技術】
【０００２】
モジュラープラグは、ケーブル接続、特にネットワーク接続に重要なインターフェース・コンポーネントであり、一定方向に沿って、デバイスポートを挿入できるとともに、モジュラープラグ自体のデバイスポートからの脱落を防止できるプラスチックコネクタである。モジュラープラグは、主にネットワークカード、ハブ、交換機及び電話機などの装置を接続することに用いられ、機器同士間または水平配線サブシステムのフィールド接続に適用する。
【０００３】
従来のモジュラープラグは、その本体にいずれも弾性片が設けられており、弾性片が接続ポート内に嵌合されてモジュラープラグの緩みや脱落を防止する。ユーザが接続ポートからモジュラープラグを引き抜く場合に、弾性片を押圧しないとモジュラープラグを引き抜くことが出来ない。しかし、従来のモジュラープラグは、弾性片が狭くて短く、ユーザが弾性片を押圧するための部位が特別に設けられない。このように、ユーザが弾性片を押圧することは極めて不便である。
【考案の概要】
【考案が解決しようとする課題】
【０００４】
本考案は、これに鑑みて、ユーザが弾性片を押圧するための部位が特別に設けられたモジュラープラグを提供する。
【課題を解決するための手段】
【０００５】
本考案が提供するモジュラープラグは、ケーブルと接続されたモジュラープラグ本体と、前記モジュラープラグ本体から延びている弾性片とを備え、前記弾性片は、ユーザが押圧するための被押圧部と、前記被押圧部と前記モジュラープラグ本体とを連結するための連結部とを備え、前記被押圧部の幅が前記連結部の幅よりも大きい。
【０００６】
一実施例では、前記被押圧部にはマークが設けられている。
【０００７】
一実施例では、前記マークは、商標を含む。
【０００８】
一実施例では、前記弾性片には、嵌合部が設けられている。
【考案の効果】
【０００９】
本考案が提供する技術案によれば、下記のような有益な効果が奏される。
【００１０】
本考案は、以上の説明を纏めると、ユーザが弾性片を押圧するための部位が特別に設けられたモジュラープラグを提供する。本考案によれば、モジュラープラグの弾性片にユーザが押圧するための被押圧部を設け、当該被押圧部が連結部を介してモジュラープラグ本体と連結されており、かつ被押圧部の幅が連結部連結部の幅よりも大きいことから、ユーザが被押圧部をより容易に押圧でき、被押圧部には、さらに、商標などのマークを設けることができ、モジュラープラグの外観見栄えがより一層良く、メーカにとって利便性をさらにもたらすことができる。
【図面の簡単な説明】
【００１１】
【図１】マークが設けられないモジュラープラグの斜視図である。
【図２】マークが設けられているモジュラープラグの斜視図である。
【考案を実施するための形態】
【００１２】
本考案の実施形態を詳細に説明する前に、本考案は、以下の説明において説明される、または図面に示される詳細な構造または部品の配列に限定されないことを理解されたい。本考案は、他の方式により実現する実施例であることができる。また、本明細書で使用される表現の使用方法や専門用語は、説明を目的としたものであり制限的なものとしてみなされるべきではないことを理解されたい。本明細書では、「含む」、「備える」、「有する」およびこれらの変化形は、それら以降に記載される項目とその同等物、さらに追加項目を包含することを意味している。特に、「ある部品」を説明する場合、本考案において、部品の数は、１つに限定されず、複数であってもよい。
【００１３】
図１に示すように、図１はマークが設けられないモジュラープラグの斜視図である。モジュラープラグ２は、図１に示すように、ケーブルと接続されたモジュラープラグ本体４と、モジュラープラグ本体４から延びている弾性片６とを備える。弾性片６には、さらに、嵌合部８が設けられる。嵌合部８は、ユーザが押圧するための被押圧部１０と、被押圧部１０とモジュラープラグ本体４とを連結するための連結部１２とを備える。
【００１４】
示された実施例では、被押圧部１０は、円柱状構造であり、かつ被押圧部１０の幅が連結部１２の幅よりも大きい。これによって、ユーザが被押圧部１０をより好適に押圧することができる。
【００１５】
図２に示すように、図２はマークが設けられているモジュラープラグの斜視図である。図２に示すように、被押圧部１０にはマーク１４が設けられている。このように、モジュラープラグ２の外観見栄えをより一層良好にすることができる。
【００１６】
本実施例では、マーク１４が商標１６であり、このように、メーカにとって利便性をさらにもたらすことができる。
【００１７】
本考案は、結果として、ユーザが弾性片を押圧するための部位が特別に設けられたモジュラープラグを提供する。本考案によれば、モジュラープラグの弾性片にユーザが押圧するための被押圧部を設け、当該被押圧部が連結部を介してモジュラープラグ本体と連結されており、かつ被押圧部の幅が連結部連結部の幅よりも大きいことから、ユーザが被押圧部をより容易に押圧でき、被押圧部には、さらに、商標などのマークを設けることができ、モジュラープラグの外観見栄えをより一層良好にし、メーカにとって利便性をさらにもたらすことができる。
【００１８】
本明細書に説明した概念は、本考案の趣旨及び特性から逸脱しない場合、他の形態で実施することができる。本考案により開示された具体的な実施例が例示性のものであり、本考案を限定するものでないことは理解されるべきである。従って、本考案は、上述の説明により限定されるものではなく、添付の実用新案登録請求の範囲により規定される。実用新案登録請求の範囲に含まれる字面による趣旨及び同等範囲におけるあらゆる変化が当該実用新案登録請求の範囲に所属している。
【図１】
0003214775.tif 000003
【図２】
0003214775.tif 000004
【手続補正書】
【提出日】平成29年6月30日(2017.6.30)
【手続補正１】
【補正対象書類名】明細書
【補正対象項目名】全文
【補正方法】変更
【補正の内容】
【考案の詳細な説明】
【技術分野】
【０００１】
本考案は、モジュラープラグに関し、特に、モジュラープラグの弾性片が押圧できるモジュラープラグに関する。
【背景技術】
【０００２】
モジュラープラグは、ケーブル接続、特にネットワーク接続に重要なインターフェース・コンポーネントであり、一定方向に沿って、デバイスポートを挿入できるとともに、モジュラープラグ自体のデバイスポートからの脱落を防止できるプラスチックコネクタである。モジュラープラグは、主にネットワークカード、ハブ、交換機及び電話機などの装置を接続することに用いられ、機器同士間または水平配線サブシステムのフィールド接続に適用する。
【０００３】
従来のモジュラープラグは、その本体にいずれも弾性片が設けられており、弾性片が接続ポート内に嵌合されてモジュラープラグの緩みや脱落を防止する。ユーザが接続ポートからモジュラープラグを引き抜く場合に、弾性片を押圧しないとモジュラープラグを引き抜くことが出来ない。しかし、従来のモジュラープラグは、弾性片が狭くて短く、ユーザが弾性片を押圧するための部位が特別に設けられない。このように、ユーザが弾性片を押圧することは極めて不便である。
【考案の概要】
【考案が解決しようとする課題】
【０００４】
本考案は、これに鑑みて、ユーザが弾性片を押圧するための部位が特別に設けられたモジュラープラグを提供する。
【課題を解決するための手段】
【０００５】
本考案が提供するモジュラープラグは、ケーブルと接続されたモジュラープラグ本体と、前記モジュラープラグ本体から延びている弾性片とを備え、前記弾性片は、ユーザが押圧するための被押圧部と、前記被押圧部と前記モジュラープラグ本体とを連結するための連結部とを備え、前記被押圧部の幅が前記連結部の幅よりも大きい。
【０００６】
一実施例では、前記被押圧部にはマークが設けられている。
【０００７】
一実施例では、前記マークは、商標を含む。
【０００８】
一実施例では、前記弾性片には、電子機器の差込口と嵌合するための嵌合部が設けられている。
【考案の効果】
【０００９】
本考案が提供する技術案によれば、下記のような有益な効果が奏される。
【００１０】
本考案は、以上の説明を纏めると、ユーザが弾性片を押圧するための部位が特別に設けられたモジュラープラグを提供する。本考案によれば、モジュラープラグの弾性片にユーザが押圧するための被押圧部を設け、当該被押圧部が連結部を介してモジュラープラグ本体と連結されており、かつ被押圧部の幅が連結部連結部の幅よりも大きいことから、ユーザが被押圧部をより容易に押圧でき、被押圧部には、さらに、商標などのマークを設けることができ、モジュラープラグの外観見栄えがより一層良く、メーカにとって利便性をさらにもたらすことができる。
【図面の簡単な説明】
【００１１】
【図１】マークが設けられないモジュラープラグの斜視図である。
【図２】マークが設けられているモジュラープラグの斜視図である。
【考案を実施するための形態】
【００１２】
本考案の実施形態を詳細に説明する前に、本考案は、以下の説明において説明される、または図面に示される詳細な構造または部品の配列に限定されないことを理解されたい。本考案は、他の方式により実現する実施例であることができる。また、本明細書で使用される表現の使用方法や専門用語は、説明を目的としたものであり制限的なものとしてみなされるべきではないことを理解されたい。本明細書では、「含む」、「備える」、「有する」およびこれらの変化形は、それら以降に記載される項目とその同等物、さらに追加項目を包含することを意味している。特に、「ある部品」を説明する場合、本考案において、部品の数は、１つに限定されず、複数であってもよい。
【００１３】
図１に示すように、図１はマークが設けられないモジュラープラグの斜視図である。モジュラープラグ２は、図１に示すように、ケーブルと接続されたモジュラープラグ本体４と、モジュラープラグ本体４から延びている弾性片６とを備える。弾性片６には、さらに、電子機器の差込口と嵌合するための嵌合部８が設けられる。弾性片６は、ユーザが押圧するための被押圧部１０と、被押圧部１０とモジュラープラグ本体４とを連結するための連結部１２とを備える。
【００１４】
示された実施例では、被押圧部１０は、円柱状構造であり、かつ被押圧部１０の幅が連結部１２の幅よりも大きい。これによって、ユーザが被押圧部１０をより好適に押圧することができる。
【００１５】
図２に示すように、図２はマークが設けられているモジュラープラグの斜視図である。図２に示すように、被押圧部１０にはマーク１４が設けられている。このように、モジュラープラグ２の外観見栄えをより一層良好にすることができる。
【００１６】
本実施例では、マーク１４が商標１６であり、このように、メーカにとって利便性をさらにもたらすことができる。
【００１７】
本考案は、結果として、ユーザが弾性片を押圧するための部位が特別に設けられたモジュラープラグを提供する。本考案によれば、モジュラープラグの弾性片にユーザが押圧するための被押圧部を設け、当該被押圧部が連結部を介してモジュラープラグ本体と連結されており、かつ被押圧部の幅が連結部連結部の幅よりも大きいことから、ユーザが被押圧部をより容易に押圧でき、被押圧部には、さらに、商標などのマークを設けることができ、モジュラープラグの外観見栄えをより一層良好にし、メーカにとって利便性をさらにもたらすことができる。
【００１８】
本明細書に説明した概念は、本考案の趣旨及び特性から逸脱しない場合、他の形態で実施することができる。本考案により開示された具体的な実施例が例示性のものであり、本考案を限定するものでないことは理解されるべきである。従って、本考案は、上述の説明により限定されるものではなく、添付の実用新案登録請求の範囲により規定される。実用新案登録請求の範囲に含まれる字面による趣旨及び同等範囲におけるあらゆる変化が当該実用新案登録請求の範囲に所属している。